Podtech/llm-jp-corpus-v4-ja_patent huggingface dataset:
(57)【要約】      （修正有）【課題】猫やカラスなどの侵入を防止するため、全体にネットを張り、ゴミ投入口を開閉自在とするゴミ箱を提供する。【解決手段】ゴミ置き場の四隅に４本の柱を立て、このうち正面２本は中が空洞の鉄柱１、後方２本は集積場のブロック上に木柱２、この４本の上部を木材３で繋いでおく。正面２本の鉄柱１の上部に滑車が付いた木材３があり、鉄柱１の外側には上下移動ができる筒５が付いている。筒５からはワイヤーが出ていて滑車をとおり空洞の鉄柱１の中の錘に繋がって筒５の上下開閉時の錘となる。正面２本の鉄柱１は外側に付いている筒５を板８で繋げている。地面からは膝の高さまでのネットの付いた板９が立ち上がっており、このネットの付いた板９と筒５と筒５とを繋げている板８とがくっついた状態で、天井・四面にネット１０を張り、一つの箱となる。【選択図】図１
0003161964.tif 000002
【実用新案登録請求の範囲】
【請求項１】
すでにある家庭用ゴミ集積場の四隅に４本の柱を立て（正面２本は空洞の鉄柱、後方２本は木柱）、正面２本の空洞の鉄柱上部に滑車を設け、鉄柱の外側には上下に移動ができる筒を付け、その筒と滑車とをワイヤーで繋げてその先に錘を付ける。正面２本の鉄柱の外側についている筒は板で繋がっており、板は錘を利用して上下開閉でき、天井・四面に張ったネットが閉まると一つの箱となり、猫やカラスの侵入を防ぐことができる侵入不能ゴミ箱。
【考案の詳細な説明】
【背景技術】
【０００１】  ゴミ出し日の朝は、猫やカラスのゴミの食い散らかしが散乱していて、そのゴミをひいていく車もあります。とても醜く汚いです。また、ゴミ出し日の前日に出す人もおり、猫やカラスにとっては格好の餌場となります。最近では猫は爪で、カラスは口ばしなどを器用に使い、網目の細かい隙間から餌をあさっています。この不愉快さを防げないものかと考案いたしました。
【考案を実施するための最良の形態】
【０００２】  ゴミ置き場の四隅に４本の柱を立て、このうち正面２本は中が空洞の鉄柱１、後方２本は集積場のブロック上に木柱２、この４本の上部を木材３で繋いでおく。正面２本の鉄柱１の上部に滑車４が付いた木材３があり、鉄柱１の外側には上下移動ができる筒５が付いている。筒５からはワイヤー６が出ていて滑車４をとおり空洞の鉄柱１の中の錘７に繋がって筒５の上下開閉時の錘となる。正面２本の鉄柱１は外側に付いている筒５を板８で繋げている。地面からは膝の高さまでのネットの付いた板９が立ち上がっており、このネットの付いた板９と筒５と筒５とを繋げている板８とがくっついた状態で、天井・四面にネット１０を張り、一つの箱となる。
【図面の簡単な説明】
【０００３】
【図１】  本考案にかかる侵入不能ゴミ箱の全体図。
【図２】  本考案にかかる侵入不能ゴミ箱の中が空洞の鉄柱図。
【図３】  本考案にかかる侵入不能ゴミ箱の開口図。
【図４】  本考案にかかる侵入不能ゴミ箱の閉口図。
【符号の説明】
【０００４】  侵入不能ゴミ箱                        ２０
正面２本の空洞鉄柱                      １
後方２本の木柱                          ２
上部の木材                              ３
滑車                                    ４
筒                                      ５
ワイヤー                                ６
錘                                      ７
筒に付いている板                        ８
地面から立ち上がっているネット付き板    ９
天井・四面に張ったネット              １０
板８と板９の閉口時の止め具            １１
【図１】
0003161964.tif 000003
【図２】
0003161964.tif 000004
【図３】
0003161964.tif 000005
【図４】
0003161964.tif 000006
【手続補正書】
【提出日】平成22年5月27日(2010.5.27)
【手続補正１】
【補正対象書類名】実用新案登録請求の範囲
【補正対象項目名】全文
【補正方法】変更
【補正の内容】
【実用新案登録請求の範囲】
【請求項１】
家庭用ゴミ集積場の四隅に、正面２本の空洞の鉄柱と後方２本の木柱からなる４本の柱を立て、正面２本の空洞の鉄柱の外側に上下に移動ができる筒を付け、この両方の筒を板でビス止めし、空洞の鉄柱の中側には、上部木材に滑車を固定したものにワイヤーを引っ掛け、その先に錘を付けたものを垂らし、ワイヤーのもう一方を筒に固定しゴミ搬入の開閉上部とし、地面からは正面２本の空洞の鉄柱に、ビス止めされたネット付板をビス止めし、ゴミ搬入の開閉下部となり、すべての面にビス止めされたネットを張り、ゴミ搬入口が閉まって一つの箱となり、猫やカラスの侵入を防ぐことができる侵入不能ゴミ箱。
(57)【要約】      （修正有）【課題】シーツを布団へ被せる作業の取り付け・取り外しを簡易化できるホック式シーツ留めを提供する。【解決手段】布団のシーツの内側に取り付ける留め紐に丸凹凸ホック２，３を取り付ける。上記の留めの紐は、箇所ごとに２本用意し、それぞれ長さが異なり、長い紐を折り返して短い紐へホックを使用して固定させる。この紐をシーツに取り付ける際は、長短２本の紐を重ね縫い付けるため、ホック取り付け位置が布団にある取り付け紐とは重ならないため、ホック強度が保てる。ホックの紐への固定は長い紐へ凸側、短い紐へは凹側を取り付ける。なお、シーツへの縫い付けは、工業用オーバーロックミシン等を使用する関係上、長さ５ｃｍ以上かつ巾１ｃｍのポリエステル紐を１本使用し、プラスチック素材の直径７ｍｍ丸凹凸ホックを用いる。【選択図】図１
0003161969.tif 000002
【実用新案登録請求の範囲】
【請求項１】
現在市販されている布団のシーツ内側には「紐（ひも）」が取り付けられており、布団本体にシーツを取り付け・取り外しの際には、その紐を結ぶ・取り外す必要があり、時間と手間が掛かります。そのため、紐を新たなホック式に変えます。
新たなホック式である紐は、ポリエステル素材の紐であり、ホック部分は洗濯時の湿気等でも錆が発生することなく軽量で強度が高く、また安全性に優れた素材を使用する。なお、ホック部分は経年変化に伴う劣化を考え、別売りで単品販売（５〜１０個）を考慮する。
現在、本製品を作成し、使用中ですが、簡単で大変便利なものである。
【考案の詳細な説明】
【技術分野】
【０００１】  本考案は、シーツ留め部にホックを設けた、シーツに関するものである。
【技術背景】
【０００２】  羽毛洋布団をシーツに取り付ける際、シーツ側にある２本の紐を布団側にあるループ紐に通し、結ぶ必要があった。
【考案の概要】
【考案が解決しようとする課題】
【０００３】  高齢者及び、手が不自由な方にとって、羽毛洋布団をシーツに取り付ける際、シーツ側にある２本の紐を布団側にあるループ紐に通し結ぶことは、時間的・労働的負担が大きい。従って、紐の取り付け機能を簡素化して前述の欠点を解決しようとするものである。
【課題を解決する手段】
【０００４】  本考案は、シーツ本体と布団を取り付ける紐の代用品として、シーツの数箇所にそれぞれ長さの異なる２本のホック付き紐を設けることにより、片手でも容易に作業が可能となる。
【考案の効果】
【０００５】  前述の様に、シーツ留めをホック式に変更したことで、高齢者及び、手が不自由な方でも簡単に布団にシーツを取り付けることができる。なお、長い紐を折り返して短い紐へ固定することにより留め強度も得られる。またホック式にすることで見た目にもスッキリし、ホック部品は経年変化による劣化の際、別売りのホック部品と交換が可能である。
【図面の簡単な説明】
【０００６】
【図１】本考案のかんたんホック式シーツ留めの平面図である。
【考案を実施するための形態】
【０００７】  かんたんホック式シーツ留めの紐は、箇所ごとに２本必要とし、２本の紐はそれぞれ長さが異なり、長い紐を折り返して短い紐へホックを使用して固定させる。これにより留め強度が得られ、外れにくくする。
この紐をシーツに取り付ける際は、長短２本の紐を重ね縫い付けるため、ホック取り付け位置が布団にある取り付け紐とは重ならないため、ホック強度が保てる。ホックの紐への固定は長い紐へ凸側、短い紐へは凹側を取り付ける。なお、シーツへの縫い付けは、工業用オーバーロックミシン等を使用する関係上、長さ５ｃｍ以上かつ巾１ｃｍのポリエステル紐を１本使用し、プラスチック素材の直径７ｍｍ丸凹凸ホックを取り付ける。
【符号の説明】
【０００８】  １  ポリエステル素材の紐
２  プラスチック素材の丸凹ホック
３  プラスチック素材の丸凸ホック
４  布団側のループ紐
【図１】
0003161969.tif 000003
【手続補正書】
【提出日】平成22年5月6日(2010.5.6)
【手続補正１】
【補正対象書類名】実用新案登録請求の範囲
【補正対象項目名】全文
【補正方法】変更
【補正の内容】
【実用新案登録請求の範囲】
【請求項１】
本考案は、布団のシーツ内側に取り付ける紐であり、ポリエステル素材の紐にプラスチック素材の丸凹凸ホックが取り付けた形状を有するかんたんホック式シーツ留め。
【手続補正２】
【補正対象書類名】明細書
【補正対象項目名】全文
【補正方法】変更
【補正の内容】
【考案の詳細な説明】
【技術分野】
【０００１】  本考案は、シーツ留め部にホックを設けた、シーツに関するものである。
【技術背景】
【０００２】  羽毛洋布団をシーツに取り付ける際、シーツ側にある２本の紐を布団側にあるループ紐に通し、結ぶ必要があった。
【考案の概要】
【考案が解決しようとする課題】
【０００３】  高齢者及び、手が不自由な方にとって、羽毛洋布団をシーツに取り付ける際、シーツ側にある２本の紐を布団側にあるループ紐に通し結ぶことは、時間的・労働的負担が大きい。従って、紐の取り付け機能を簡素化して前述の欠点を解決しようとするものである。
【課題を解決する手段】
【０００４】  本考案は、シーツ本体と布団を取り付ける紐の代用品として、シーツの数箇所にそれぞれ長さの異なる２本のホック付き紐を設けることにより、片手でも容易な作業が可能となる。
【考案の効果】
【０００５】  前述の様に、シーツ留めをホック式に変更したことで、高齢者及び、手が不自由な方でも簡単に布団にシーツを取り付けることができる。なお、長い紐を折り返して短い紐へ固定することにより留め強度も得られる。またホック式にすることで見た目にもスッキリし、ホック部品は経年変化による劣化の際、ホック単体での交換部品を別売することにより、消費者にとってリーズナブルである。
【図面の簡単な説明】
【０００６】
【図１】本考案のかんたんホック式シーツ留めの平面図である。
【考案を実施するための形態】
【０００７】  かんたんホック式シーツ留めの紐は、箇所ごとに２本必要とし、２本の紐はそれぞれ長さが異なり、長い紐を折り返して短い紐へホックを使用して固定させる。これにより留め強度が得られ、外れにくくする。
この紐をシーツに取り付ける際は、長短２本の紐を重ね縫い付けるため、ホック取り付け位置が布団にある取り付け紐とは重ならないため、ホック強度が保てる。ホックの紐への固定は長い紐へ凸側、短い紐へは凹側を取り付ける。なお、シーツへの縫い付けは、工業用オーバーロックミシン等を使用する関係上、長さ５ｃｍ以上かつ巾１ｃｍのポリエステル紐を１本使用し、ホック部分は洗濯時の湿気等で錆が発生せず、軽量かつ強度が高く安全性に優れた素材であるプラスチック素材の直径７ｍｍ丸凹凸ホックを取り付ける。
【符号の説明】
【０００８】  １  ポリエステル素材の紐
２  プラスチック素材の丸凹ホック
３  プラスチック素材の丸凸ホック
４  布団側のループ紐
(57)【要約】      （修正有）【課題】使用中にワラや雑草等が絡みついて重くなることがない牽引式の水田用スプリング除草機を提供する。【解決手段】スプリング留金具に固定した長さ４５０ｍｍ程の波形スプリングを角パイプに隙間なく並べて取り付ける。【選択図】図２
0003161961.tif 000002
【実用新案登録請求の範囲】
【請求項１】
水田用  初・中期  除草機
波型スプリングを取り付けて、水田面全面にまんべんなく引いて除草効果を得る牽引式の除草機である。
【考案の詳細な説明】
【技術分野】この考案は水田稲作用の初中期除草機である。
【背景技術】除草作業は長時間の作業が求められる重労働である。
【考案が解決しようとする課題】
チェーン除草機の場合のように、使用中にワラや雑草等が絡みついて重くなるという難点を解決した除草機である。
【課題を解決するための手段】
除草部分に波状のスプリングを使用することによって田面の前面を撹拌する。
【考案の効果】
水を張って田面を縦横にスプリング除草機をかけることによって、取りにくい株間に残ったコナギ・ヒエなどの雑草も浮かせたり、埋没させたりして、取り除くことが出来る。
【図面の簡単な説明】
【図１】…本体に取り付ける波状のスプリングの全景である。
【図２】…図（１）のスプリングを装着した除草機本体である。
【図１】
0003161961.tif 000003
【図２】
0003161961.tif 000004
【手続補正書】
【提出日】平成22年5月26日(2010.5.26)
【手続補正１】
【補正対象書類名】実用新案登録請求の範囲
【補正対象項目名】全文
【補正方法】変更
【補正の内容】
【実用新案登録請求の範囲】
【請求項１】
スプリング留金具に固定した長さ４５０ｍｍ程の波型スプリングを角パイプに隙間なく並べて取り付け、水田面全面をまんべんなく引くことにより除草効果を得る牽引式の水田用スプリング除草機。
【手続補正３】
【補正対象書類名】図面
【補正対象項目名】図１
【補正方法】変更
【補正の内容】
【図１】
0003161961.tif 000005
(57)【要約】      （修正有）【課題】爪切りの歯間の間隔を調整できる爪切りを提供する。【解決手段】支点ピンをねじピンにし、押さえ板を回転させることで歯間の間隔を調整できることを特徴とする爪切り。押さえ板を回転させ爪の厚さに合わせて歯間の間隔を調整することで、爪の厚さに関係なく爪を切りやすくした。また、従来は厚い爪用に特殊な爪切りを用意していたが、本爪切りを使用することで、健康な爪も爪水虫などの病気で厚くなった爪も、１本の爪切りで切ることを可能にした。【選択図】図１
0003161973.tif 000002
【実用新案登録請求の範囲】
【請求項１】
上板と下板と押さえ板を重ね合わせ、ねじ状のピンを支点ピンとして用いて結合し、留め具で固定する。上板先端部の上歯と下板先端部の下歯の歯間を、押さえ板の回転により歯間の間隔を調整できることを特徴とした爪切り。
【考案の詳細な説明】
【技術分野】
【０００１】  本考案は、爪切りの歯間を調整できる爪切りに関するものである。
【背景技術】
【０００２】  従来の爪切りは上板と下板及び押さえ板を重ねて、支点ピンで結合し、留め具で固定され形成されている。上板先端部分の上歯と下板先端部分の下歯の間隔は一定でかつ狭いものとなっている。
【考案の概要】
【考案が解決しようとする課題】
【０００３】  爪水虫などの病気のため爪が厚くなってしまった爪を切るためには、従来の爪切りでは歯間が一定で狭く、厚い爪はその歯間に差し込むことが困難で、思うように切ることができなかった。また、厚い爪を切るための専用の爪切り必要だった。
本考案は以上の問題を解決するためになされたものである。
【課題を解決するための手段】
【０００４】  爪切りの結合部の支点ピンをねじ状のピンにすることにより、押さえ板を回転させ、ねじを締めたり緩めたりすることにより、上歯と下歯の隙間を調整してその歯間を狭くしたり広くしたりできる。
【考案の効果】
【０００５】  押さえ板を回転させ爪の厚さに合わせて歯間を調整することで、爪の厚さに関係なく爪を切りやすくした。また、従来は厚い爪用に特殊な爪切りを用意していたが、本考案の爪切りを使用することで、健康な爪も爪水虫などの病気で厚くなった爪も、１本の爪切りで切ることを可能にした。
【図面の簡単な説明】
【０００６】
【図１】本考案の歯間調整付き爪切りの側面図である。
【図２】本考案の歯間を狭く調整するための手段の図である。
【図３】本考案の歯間を広く調整するための手段の図である。
【図４】本考案の歯間を狭く調整した正面図である。
【図５】本考案の歯間を広く調整した正面図である。
【図６】本考案の歯間を狭く調整して従来の爪切りとしての使用図である。
【図７】本考案の歯間を広く調整して厚い爪の爪切りとしての使用図である。
【考案を実施するための形態】
【０００７】  本考案の爪切りは、上板と下板と押さえ板をねじ状のピンの支点ピンで結合され、留め具で固定され形成されている。上板は先端部に向かって中央から上方向に傾斜しており、下板は後方部より中央部までは上板と熔接により結合され、さらに先端部まで平らな状態になっている。上板の先端部には爪を切るための上歯が、下板の先端部にも爪を切るための下歯が付いている。押さえ板を上方へ立てて回転させることで、上方向に傾斜している上板が下方向に力が加わり、平らな下板との空間部分を狭くすることで上歯と下歯の歯間を調整し固定することができる。これによって爪の厚みに合わせた歯間を作ることができ、爪の厚さに適した歯間で爪を切ることができる。
【０００８】  厚い爪を切るときは押さえ板を立てて左に回し歯間を広げて使用する。また押さえ板を立てて右に回すと歯間が狭くなる。
【図１】
0003161973.tif 000003
【図２】
0003161973.tif 000004
【図３】
0003161973.tif 000005
【図４】
0003161973.tif 000006
【図５】
0003161973.tif 000007
【図６】
0003161973.tif 000008
【図７】
0003161973.tif 000009
【手続補正書】
【提出日】平成22年5月27日(2010.5.27)
【手続補正１】
【補正対象書類名】実用新案登録請求の範囲
【補正対象項目名】全文
【補正方法】変更
【補正の内容】
【実用新案登録請求の範囲】
【請求項１】
上板と下板と押さえ板を重ね合わせ結合する支点ピンに、ねじ状の支点ピンを用い結合することにより、押さえ板を回転させ上板先端部の上歯と下板先端部歯間の間隔を調整できることを特徴とした爪切り。
(57)【要約】      （修正有）【課題】高い枝まで持ち上げる材質がアルミニュウム・ジュラルミン等の複数の軽量管からなる木の枝打ち用のチェンソーを提供する。【解決手段】電動モーター及びチェンソーの本体部分を超小型軽量化して直線上に組み合わせて軽量架台に取り付け、軽量架台の斜めガイド棒と凹型回転体を利用して幹に沿わして電導線・コンセントを内蔵した複数の軽量管を組み合わせて対象となる枝まで持ち上げ、超小型軽量電動チェンソーを動かして枝打ちをする。低回転のため切断された枝が落下する前に落下地点から避難することができる。 【選択図】図２
0003161978.tif 000002
【実用新案登録請求の範囲】
【請求項１】
高トルク低回転の超小型軽量電動モーターと超小型チェンソーを直線上に組み合わせることを特徴とする枝打ち用の超小型軽量電動チェンソー。
【請求項２】
ボルト等の取り付け部・１段目軽量管の接続部がある軽量架台を特徴とする請求項１記載の超小型軽量電動チェンソー
【請求項３】
木の幹を外れることなく自在に上げ下げするための斜めガイド棒及び凹型回転体を特徴とする請求項１記載の超小型軽量電動チェンソー
【請求項４】
高い枝まで持ち上げるための電導線とコンセントを内蔵し、通電確認ＬＥＤランプが付いている剛性を高める加工を施した１段目・中間・手元用の複数の軽量管を特徴とする請求項１記載の超小型軽量電動チェンソー
【考案の詳細な説明】
【技術分野】
【０００１】
本考案は、高トルク低回転の超小型軽量電動モーター・超小型チェンソー及び凹型回転体・ガイド棒を取り付けた軽量架台と軽量架台に接続して高い枝まで持ち上げる材質がアルミニュウム・ジュラルミン等の複数の軽量管からなる木の枝打ち用のチェンソーに関するものである。
【背景技術】
【０００２】
動力チェンソーはのこぎりやなたに変わる木の切断方法として定着している。
【先行技術文献】
【特許文献】
【０００３】
【特許文献１】実登３１００５２７
【特許文献２】特開Ｈ０８−２４２７０８
【特許文献１】特開２００３−１９９４３２
【考案の概要】
【考案が解決しようとする課題】
【０００４】
しかしながら、従来の動力チェンソーは木の伐採を目的とするためチェンソー部分が長く、また駆動するために強力な動力源を搭載しているため重くなるなど木の高所における枝打ち用には適していなかった。軽く作られた動力チェンソーでも両手で持つ構造のため高所作業には適していない。
【課題を解決するための手段】
【０００５】
本考案は、地上から１０ｍの高さでも枝打ちをするために、バー長さが２０ｃｍ以下の超小型チェンソー及び超小型チェンソーを駆動するための高トルク低回転の超小型軽量電動モーター等を取り付けた軽量架台を含めて１ｋｇ以下とする軽量化を図り、また、軽量架台を高い枝まで持ち上げるために組み合わせる、電導線・コンセント等を内蔵し剛性を高める加工をした複数の軽量管と軽量架台に取り付けた凹型回転体及び斜めガイド棒により幹から外れることなく誰でも地上から枝打ち作業を行えるなど、枝打ち作業の機械化と効率化を実現し、これにより上記課題を解決するものである。
【考案の効果】
【０００６】
現在、枝打ち作業の大部分は人が梯子で１本づつ木に登り、ノコギリやなたで枝を切断しているため、時間がかかるうえに危険である。又、実用化されている自動切断機は、木に装置を取り付けて動力で木を登らしながら枝打ちをするため、１本ごとに自動切断機を取り付け直す必要がある。この本考案を実用化すれば、１０ｍの高さの木でも登ることなく地上から安全に効率よく枝打ち作業できる優れたものである。
【図面の簡単な説明】
【０００７】
【図１】本考案の平面図である。
【図２】本考案の側面図である。
【図３】本考案の正面図である。
【図４】本考案に使用する１段目・中間・手元用の複数軽量管と動力部である。
【実施例】
【０００８】
図１に示すように、軽量架台３に高トルク低回転の超小型軽量電動モーター２と超小型チェンソー１を直線上になるように組み合わせた超小型電動チェンソーをボルト等で固定する。
図２及び図３に示すように、軽量架台３に内側に凹型に湾曲した回転体４、斜めガイド棒５を取り付け、図４の１段目軽量管６を接続する。
図４に示すように、軽量架台３に接続する軽量管として、通電確認ＬＥＤランプ１１が付き電導線９・コンセント１０を内蔵した軽量架台３への接続部を持つ１段目軽量管（２ｍ）６、枝打ちする高さに合わせて、１段目軽量管６に電導線９・コンセント１０を内蔵した中間軽量管（５ｍ）７を、さらに電導線９・コンセント１０を内蔵し通電確認ＬＥＤランプ１１・手元スイッチ１３の付いた手元用軽量管（３ｍ）８を軽量管の強度を落とさない軽量管の接続器具１２で接続する。
【０００９】
図４に表示するように超小型軽量電動モーター２の動力源は、持ち運びに便利な超小型発電機・充電池１４を使用し、手元用軽量管８までは電導線を使用する。電源のオン・オフは手元用軽量管８の手元スイッチ１３とする。
【００１０】
上記工程により完成した考案のチェンソーは、伐採用の動力チェンソーに対して、格段に軽くなり、木に登ることなく地上から安全に・効率的に枝打ち作業ができる。
【符号の説明】
【００１１】
１・・・高トルク低回転超小型軽量電動モーター
２・・・超小型チェンソー
３・・・軽量架台
４・・・凹型回転体                
５・・・斜めガイド棒
６・・・１段目軽量管（２ｍ）
７・・・中間軽量管（５ｍ）
８・・・手元用軽量管（３ｍ）
９・・・電導線
１０・・・コンセント
１１・・・通電確認ＬＥＤランプ
１２・・・軽量管の接続器具
１３・・・手元スイッチ
１４・・・動力源（小型発電機・充電池）
【図１】
0003161978.tif 000003
【図２】
0003161978.tif 000004
【図３】
0003161978.tif 000005
【図４】
0003161978.tif 000006
【手続補正書】
【提出日】平成22年6月3日(2010.6.3)
【手続補正１】
【補正対象書類名】実用新案登録請求の範囲
【補正対象項目名】全文
【補正方法】変更
【補正の内容】
【実用新案登録請求の範囲】
【請求項１】
高トルク低回転の超小型軽量電動モーターと超小型チェンソーを直線上に組み合わせることを特徴とする枝打ち用の超小型軽量電動チェンソー。
【請求項２】
超小型軽量電動チェンソーを木の幹に沿わすための斜めガイド棒が設けられてなる請求項１記載の超小型軽量電動チェンソー。
【請求項３】
超小型軽量電動チェンソーを木の幹の曲線に沿わすための凹型回転体を備えてなる請求項１記載の超小型軽量電動チェンソー。
【請求項４】
超小型軽量電動チェンソーに電気を供給するための電導線とコンセントを内蔵し、通電確認ＬＥＤランプが付き、剛性を高める加工を施した１段目・中間・手元用の複数の軽量管を備えてなる請求項１記載の超小型軽量電動チェンソー。
【手続補正２】
【補正対象書類名】図面
【補正対象項目名】全図
【補正方法】変更
【補正の内容】
【図１】
0003161978.tif 000007
【図２】
0003161978.tif 000008
【図３】
0003161978.tif 000009
【図４】
0003161978.tif 000010
(57)【要約】      （修正有）【課題】通信機器を騒音下で使用するエレクトレットコンデンサー型マイクロホンをノイズキャンセル型を使用することで解決するホルダーを提供する。【解決手段】通信機器に使用するエレクトレットコンデンサー型マイクロホンをノイズキャンセル接話型エレクトレットコンデンサー型マイクロホンを利用するためのエレクトレットコンデンサーマイクロホンホルダーを音声入力口とノイズキャンセル用入力口を二箇所設けることを特徴するノイズキャンセル接話型エレクトレットコンデンサー型マイクロホンホルダー。【選択図】図１
0003161975.tif 000002
【実用新案登録請求の範囲】
【請求項１】
通信機器に使用するエレクトレットコンデンサー型マイクロホンをノイズキャンセル接話型エレクトレットコンデンサー型マイクロホンを利用するためのエレクトレットコンデンサーマイクロホンホルダーを音声入力口とノイズキャンセル用入力口を二箇所設けることを特徴するノイズキャンセル接話型エレクトレットコンデンサー型マイクロホンホルダー。
【考案の詳細な説明】
【技術分野】
【０００１】
本考案は送話用ノイズキャンセル接話型エレクトレットコンデンサーマイクロホン利用するための技術分野。
【背景技術】
【０００２】
通信機器に利用する、送話用ノイズキャンセル接話型エレクトレットコンデンサーマイクロホンを利用するため。
【考案の開示】
【考案が解決しようとする課題】
【０００３】
本考案は通信機器を騒音下で使用するエレクトレットコンデンサー型マイクロホンをノイズキャンセル型を使用することで解決しようとする課題。
【課題を解決するための手段】
【０００４】
本考案は通信機器を騒音下で使用するためにノイズキャンセル接話型エレクトレットコンデンサーマイクロホンを送話に利用することで解決しようとすることを課題する。
【考案の効果】
【０００５】
上述のように本考案のノイズキャンセル接話型エレクトレットコンデンサーマイクロホンを送話用として、通信機器に送話用として利用することが出きることを、考案の効果があった。
【考案を実施するための最良の形態】
【０００６】
上述のように本考案は通信機器に使用するエレクトレットコンデンサー型マイクロホンをノイズキャンセル接話型エレクトレットコンデンサークロホンを利用するためのエレクトレットコンデンサーマイクロホンホルダーを音声入力口とノイズキャンセル用入力口を二箇所設けることを特徴するノイズキャンセル接話型エレクトレットコンデンサー型マイクロホンホルダーを使用することで、実施するための最良の形態とする。
【実施例】
【０００７】
図面に従って、以下添付実施例を説明する、１はノイズキャンセル接話型エレクトレットコンデンサークロホンホルダー、１ａは音声入力口１ｂはノイズキャンセル用入力口、
２はノイズキャンセル接話型エレクトレットコンデンサークロホン、３はケース、
【０００８】
４はエレクトレットコンデンサークロホン用接続リード線、５はクリップ、5aは５クリップのバネ、６は通信機器に接続用コネクター、６aは接続用ピン
【図面の簡単な説明】
【０００９】
【図１】ノイズキャンセル接話型エレクトレットコンデンサーマイクロホンホルダーの正面図
【図２】ノイズキャンセル接話型エレクトレットコンデンサーマイクロホンホルダーの側面図
【図３】ノイズキャンセル接話型エレクトレットコンデンサーマイクロホンホルダーの上面図
【符号の説明】
【００１０】
１    ノイズキャンセル接話型エレクトレットコンデンサーマイクロホンホルダー
２    ノイズキャンセル接話型エレクトレットコンデンサーマイクロホン
３    ケース
４    エレクトレットコンデンサークロホン用接続リード線
５    クリップ
６    通信機器に接続用コネクター
【図１】
0003161975.tif 000003
【図２】
0003161975.tif 000004
【図３】
0003161975.tif 000005
【手続補正書】
【提出日】平成22年6月15日(2010.6.15)
【手続補正１】
【補正対象書類名】実用新案登録請求の範囲
【補正対象項目名】全文
【補正方法】変更
【補正の内容】
【実用新案登録請求の範囲】
【請求項１】
通信機器の外部送話装置に使用する、送話マイクロホンを騒音下で使用できるノイズキャセル接話型マイクロホン使用出来るようにするため、ノイズキャセル接話型マイクロホンは音声入力口とノイズキャセル用入力口の二箇所設ける必要がある、二箇所の入力口を有することを特徴とする筒型のマイクロホンホルダー。
(57)【要約】      （修正有）【課題】氷を雪状に粉砕した後、水を混入して所望のシャーベットアイスを得ようとするシャーベットアイス製造装置を提供する。【解決手段】固形の氷及び／又はフレーク氷が投入されるホッパ２と、このホッパ２に投入された氷を搬送するコンベア３と、この搬送された氷を雪状に粉砕するアイスジェットガン装置と、この装置の出口付近の水供給手段１５からなり、かつ前記アイスジェットガン装置が、回転砕氷ケーシングと、この回転砕氷ケーシング内にあって動力で高速で回転駆動されて氷を粉砕する羽根車８とを備えてなる。【選択図】図１
0003161921.tif 000002
【実用新案登録請求の範囲】
【請求項１】
固形の氷及び/又はフレーク氷が投入されるホッパと、このホッパに投入された氷を搬送するコンベアと、この搬送された氷を雪状に粉砕するアイスジェットガン装置と、この装置の出口付近の水供給手段とからなるシャーベットアイス製造装置。
【請求項２】
前記アイスジェットガン装置が、回転砕氷ケーシングと、このケーシング内にあって動力で高速回転され氷を粉砕する羽根車とを備えてなる請求項1に記載のシャーベットアイス製造装置。
【請求項３】
前記水供給手段で前記雪状の氷に混入される水は、真水、海水、塩水であって、塩分濃度0％〜23％のものである請求項1に記載のシャーベットアイス製造装置。
【考案の詳細な説明】
【技術分野】
【０００１】
シャ−ベットアイスとは氷と水が混ざり合った状態をいい、この考案は氷を雪状に粉砕した後、水を混入して所望のシャーベットアイスを得ようとするものである。
【背景技術】
【０００２】
冷却用の氷によって水産物の鮮度保持を行うに際して、その氷が塊状であると水産物特に海水魚の場合に傷がついたりして問題となるため、シャーベットアイスが普及されるようになった。
【特許文献１】特開2008−121935号公報
【考案の開示】
【考案が解決しようとする課題】
【０００３】
一般的にこの種シャーベットアイス製造に際しては、製氷面に生成された氷を掻き取るスクレーパを備えたロータと蒸発器の内円筒で挟まれた空間に塩水を流して、シャーベットアイスの製氷を行うことが行われているが、その構造は複雑であり、より簡易なものが望まれている。
【課題を解決するための手段】
【０００４】
ここにおいて本考案は、固形の氷及び/又はフレーク氷が投入されるホッパと、このホッパに投入された氷を搬送するコンベアと、この搬送された氷を雪状に粉砕するアイスジェットガン装置と、この装置の出口付近の水供給手段とからなり、かつ前記アイスジェットガン装置が、回転砕氷ケーシングと、このケーシング内にあって動力で回転駆動され氷を糞さする羽根車とを備えており、また前記水供給手段で前記雪状の水に混入される水が、真水、海水、塩水であって、塩分濃度が0％〜23％のものであることを特徴とするものである。
【考案の効果】
【０００５】
本考案によれば、固形の氷及び/又はフレーク氷をアイスジェットガン装置内で雪状に粉砕した後、所定の水を混ぜることにより、極めて簡略な構造でシャーベットアイスを製造することが可能となるものである。
【考案を実施するための最良の形態】
【０００６】
図中、図1は本考案の装置の一実施例の要部を断面で示す側面図、図2はその平面図、図3は端面図である。装置のほぼ全体は架台1上に載設されており、一端部にはホッパ２と、このホッパ2の下部に構成されるスクリュウコンベア等のコンベア3が配置され、このコンベア3はモータ4によりチエンベルト等の伝動手段5を介して回転駆動されて、このコンベア3の末端はアイスジェットガン装置6の回転砕氷ケーシング7内に達する。
【０００７】
この回転砕氷ケーシング7内には高速回転され氷を粉砕する羽根車8を軸支する回転軸9が軸受10、11により設けられ、この回転軸9は前記回転砕氷ケーシング7から突出し、カップリング12を介して前記架台1上に載架されている高速回転モータ13の駆動軸14に直結される。
【０００８】
前記アイスジェットガン装置6の出口付近（配管及びサイクロンシュート）に水供給手段15が設けられ、これには水として真水、海水、塩水を供給源16から導入されて、アイスジェットガン装置6内で粉砕された雪状の氷に水を混ぜるものとする。
【０００９】
上記構成の本案装置の実施に当たっては、前記ホッパ2内に固形の氷及び/又はフレーク氷を投入し、氷はコンベア3によりアイスジェットガン装置6の回転砕氷ケーシング７に搬送され、ここで高速回転されている羽根車8により雪状に粉砕され、アイスジェットガン装置6の出口付近で、水供給手段15よる水と混入されてシャ−ベットアイスとなる。
【００１０】
シャーベットアイスの塩分濃度は水の塩分濃度を調整することによって0％〜23％の塩分濃度に製造することが可能であり、また、シャーベットアイスの氷含有率は氷と水の混合比を変えることにより0％〜100％まで対応することができる。なお、雪状の氷の粒子はアイスジェットガン装置6の回転を変更することで、雪状（微粒）〜20mm程度までの大きさに変更できる。
【図面の簡単な説明】
【００１１】
【図１】本考案の装置の一実施例の要部を断面で示す側面図。
【図２】図1に示す装置の平面図。
【図３】図1に示す装置の端面図。
【符号の説明】
【００１２】
１    架台
２    ホッパ
３    コンベア
４    モータ
５    駆動手段
６    アイスジェットガン装置
７    回転砕氷ケーシング
８    羽根車
９    回転軸
１０  軸受
１１  軸受
１２  カップリング
１３  高速回転モータ
１４  駆動軸
１５  水供給手段
１６  供給源
【図１】
0003161921.tif 000003
【図２】
0003161921.tif 000004
【図３】
0003161921.tif 000005
(57)【要約】      （修正有）【課題】甘味の羊羹でありながらも、酒のつまみにもなり得る、新規な需要を喚起することができる新趣向で新食感のとうがらし入り羊羹を提供する。【解決手段】塩漬けしたとうがらしを塩漬けした紫蘇で巻いた紫蘇巻きとうがらしを、羊羹の中に入れる。【選択図】図１
0003161911.tif 000002
【実用新案登録請求の範囲】
【請求項１】
塩漬けしたとうがらしを、塩漬けした紫蘇で巻いた紫蘇巻きとうがらしを羊羹の中に入れたことを特徴とするとうがらし入り羊羹。
【請求項２】
紫蘇巻きとうがらしは、羊羹の長さと同程度の長さを有し、該羊羹の長手方向に沿って挿入されることを特徴とする請求項１に記載のとうがらし入り羊羹。
【請求項３】
紫蘇巻きとうがらしは、羊羹の長手方向に沿って複数本並列に挿入されることを特徴とする請求項１又は２に記載のとうがらし入り羊羹。
【考案の詳細な説明】
【技術分野】
【０００１】
本考案は、羊羹の中にとうがらしを入れたとうがらし入り羊羹に係り、特に羊羹の中に紫蘇を巻いた塩漬けのとうがらしを丸ごと入れるという、従来にない組み合わせの羊羹に関するものである。
【背景技術】
【０００２】
羊羹といえば、昔から甘味の代表として、饅頭と並んで甘党に人気のある和菓子である。そして、その羊羹の種類としては、煉羊羹、水羊羹、蒸羊羹などの製法による種類や、栗羊羹、芋羊羹、豆羊羹、柿羊羹、抹茶羊羹、黒砂糖羊羹、塩羊羹などの材料による種類や、竹筒入り羊羹、一口羊羹、缶入り羊羹、ゴム包み羊羹などの形状・包装による種類など、数多くの商品バラエティが存在している。
【０００３】
これらの羊羹は、甘味のおやつとして味わうことができる。そして、商品開発における新たなバラエティとして、例えば、羊羹の中にバナナを入れたバナナ入り羊羹が案出されている（特許文献１参照）。
【先行技術文献】
【特許文献】
【０００４】
【特許文献１】特開２０００−８３５９１号公報
【考案の概要】
【考案が解決しようとする課題】
【０００５】
しかしながら、上述したバナナ入り羊羹のごとく、羊羹の中に入れる果物等の甘い素材をいろいろと替えてみたとしても、甘党の人にとっての目先を変える程度の変化であって、新たな市場を開拓して需要を呼び起こすことにはならず、例えば酒のつまみになるような、辛党の人にも味わうことができる新たな需要を喚起するような羊羹は、これまで存在しなかった。
【０００６】
そこで、本考案はこのような実情に鑑みて、甘味の羊羹でありながらも、酒のつまみにもなり得る、新規な需要を喚起することができる新趣向の羊羹を提供しようとするものである。
【課題を解決するための手段】
【０００７】
上記解決課題に鑑みて鋭意研究の結果、本考案者は、羊羹の中に紫蘇巻きとうがらしを入れることに想到し、本考案をなすに至った。
【０００８】
すなわち、本考案のとうがらし入り羊羹は、塩漬けしたとうがらしを、塩漬けした紫蘇で巻いた紫蘇巻きとうがらしを羊羹の中に入れたことを特徴とする。
【０００９】
また、本考案のとうがらし入り羊羹は、紫蘇巻きとうがらしが、羊羹の長さと同程度の長さを有し、該羊羹の長手方向に沿って挿入されることを特徴とする。
【００１０】
また、本考案のとうがらし入り羊羹は、紫蘇巻きとうがらしが、羊羹の長手方向に沿って複数本並列に挿入されることを特徴とする。
【考案の効果】
【００１１】
以上説明したように、本考案によれば、甘味の羊羹でありながらも、酒のつまみにもなり得て、新規な需要を喚起することができる新趣向のとうがらし入り羊羹を提供することができる。そして、切り分けたとうがらし入り羊羹を食べると、まず外側の羊羹のとろける甘さを味わい、次に塩漬けした紫蘇の香りとさわやかな塩味があり、その後に塩漬けとうがらしのピリ辛が後を引くという、口の中で３段階の味覚・風味を味わうことができるという、甘辛の極みの羊羹が得られた。また、塩漬けした紫蘇の成分が周りの羊羹に浸透していくことから、羊羹のみを味わう段階でも、甘さと紫蘇の香りと塩味とがグラデーションとなって絶妙な味覚となる。
【図面の簡単な説明】
【００１２】
【図１】本考案のとうがらし入り羊羹を示す説明図である。
【考案を実施するための形態】
【００１３】
本考案のとうがらし入り羊羹について、図面を参照しながら、その具体的な実施の形態を説明する。
まず、本考案のとうがらし入り羊羹に用いるとうがらしは、栃木県日光地方で特産品として知られる紫蘇巻きとうがらしであり、塩漬けしたとうがらしを、同じく塩漬けした紫蘇の葉で手巻きしたものである。
このとうがらしは、生の青唐辛子をベッコウ色になるまで塩漬けにしたものであり、またこのとうがらしを巻く紫蘇の葉も、この紫蘇巻きとうがらしに合うように選択した、特定の産地、特定の品種等の限定された青紫蘇を２年間塩漬けにしたものを使用している
また、羊羹は同じく日光の特産品である日光煉羊羹であり、その材料としては、国産の小豆、それも高級な北海道産の小豆と、テングサを原料とする寒天、これも最高級と評判の高い岐阜産の寒天と、そして砂糖を使用する。
【００１４】
この紫蘇巻きとうがらしを用いて、本考案のとうがらし入り羊羹を製造する方法を下記に説明する。
まず、小豆を煮て餡を作り、この餡に砂糖と寒天を加えてじっくりと煉り上げる。そして、煉り上げたばかりの羊羹を、容器兼成形型となるアルミニウムをコーティングしたラミネート紙筒に流し込む。この羊羹が冷えて固まる前に、紫蘇巻きとうがらしを間隔を空けて２本挿入して、筒内の空気を抜いてラミネート紙筒の流し口をシーラーで密封する。そして、これを冷まし固めることにより紫蘇巻きとうがらし羊羹が完成する。
【００１５】
尚、羊羹をラミネート紙筒に流し込んで成形する上述した製法以外に、大きめの金属製のバットに、練り上げた羊羹を流し込んで、これが冷めたところで所定の大きさに切り分ける製法を用いてもよい。この場合は、バットに練り上げた羊羹を半分程度流し込み、その上に紫蘇巻きとうがらしを２本ずつセットにして所定間隔ごとに横にして置き、さらにその上から練り上げた羊羹を流し込むものである。
【００１６】
本実施例に用いる紫蘇巻きとうがらしは、その長さを羊羹の長さとほぼ同等とすることにより、できあがったとうがらし入り羊羹を縦に切り分けたときに、図１に示すように、どこを切っても紫蘇巻きとうがらしが入っているようにすることができる。そして、羊羹を薄く切り分け、切り口に表れる２個の輪切りの紫蘇巻きとうがらしを、１個ずつ、すなわち一切れの半分ずつ味わうことで甘さと辛さの新しい食感を十分に楽しむことができるものである。
【００１７】
尚、上述した実施例にあっては、日光煉羊羹及び日光特産の紫蘇巻きとうがらしを用いたとうがらし入り羊羹について説明したが、本考案のとうがらし入り羊羹としては、素材はこれに限定されることはなく、産地を限定しない羊羹と紫蘇巻きとうがらしであってもよいものである。また、羊羹に挿入する紫蘇巻きとうがらしも、２本に限られることなく、１本、３本でもよいが、２本以上が好適である。
【産業上の利用可能性】
【００１８】
この考案に係るとうがらし入り羊羹は、菓子製造業において利用することができる。
【図１】
0003161911.tif 000003
(57)【要約】      （修正有）【課題】本来のＬＥＤの寿命までＬＥＤ電球を使用し得る外付けコンバーターを備えたＬＥＤ電球を提供する。【解決手段】交流を直流に変換するコンバーター６の両端の接点を端子の接点に離間し得るように接触させ、一方の端子に電源ソケット１０を介して接続した電線２，２′を交流電源に接続し得るように形成し、コンバーターの他端の接点７，７′を他方の端子の接点９，９′に着脱し得るように接続し、他方の端子に電源ソケットを介して接続した電線を直接若しくはコネクタを介して、ＬＥＤ電球の電源入力部に接続することにより、コンバーターを外付けとし、コンバーターだけを交換可能としＬＥＤ電球の寿命をのばした。【選択図】図３
0003161466.tif 000002
【実用新案登録請求の範囲】
【請求項１】
交流を直流に変換するコンバーターの両端の接点を端子の接点に離間し得るように接触させ、一方の端子に電源ソケットを介して接続した電線を交流電源に接続し得るように形成し、コンバーターの他端の接点を他方の端子の接点に着脱し得るように接続し、他方の端子に電源ソケットを介して接続した電線を直接若しくはコネクタを介して、ＬＥＤ電球の電源入力部に接続することを特徴とする外付けコンバーターを備えたＬＥＤ電球。
【請求項２】
前記他方の端子に接続した電線を直接若しくはコネクタを介してソケットに接続し、該ソケットをＬＥＤ電球の口金に螺合若しくは嵌合接続する請求項１記載の外付けコンバーターを備えたＬＥＤ電球。
【請求項３】
一端が閉鎖した筒状体のケースの閉鎖部にバネを収容し、端子で挟んだコンバーターを収容した後、蓋を嵌合若しくは螺合して、コンバーターと端子とを、離間し得るように接触させる請求項１又は２記載の外付けコンバーターを備えたＬＥＤ電球。
【考案の詳細な説明】
【技術分野】
【０００１】
本考案は、ＬＥＤ電球に内蔵されているコンバーターを外付けにして、コンバーターだけを交換可能とした外付けコンバーターを備えたLED電球に関する。
【背景技術】
【０００２】
ＬＥＤ電球は、交流電源では使用し得ないので、交流電源を直流電源に返還するコンバーターが内蔵されている。このコンバーターを内蔵したＬＥＤ電球は、高価なものであった。しかしながら、ＬＥＤ自体は長寿命であったが、コンバーターが先に使用できなくなる場合か、コンバーター製品不良であった場合は、そのまま廃棄しなければならない問題があった。
【考案の開示】
【考案が解決しようとする課題】
【０００３】
この考案は、このような点に着目してなされたものであり、本来のＬＥＤ電球の寿命まで使用し得る外付けコンバーターを備えたLED電球を提供することを目的とする。  
【課題を解決するための手段】
【０００４】
上記目的を達成するため、本考案者は鋭意研究の結果、コンバーターを外付けにして、交換可能とすることにより、高価なＬＥＤ電球の寿命を長くし得ることを見出し、本考案に到達した。しかして従来、コンバーターを外付けにしたLED電球は知られていないし、このような発想も全く知られていない。
【０００５】
即ち本考案は、交流を直流に変換するコンバーターの両端の接点を端子の接点に離間し得るように接触させ、一方の端子に電源ソケットを介して接続した電線を交流電源に接続し得るように形成し、コンバーターの他端の接点を他方の端子の接点に着脱し得るように接続し、他方の端子に電源ソケットを介して接続した電線を直接若しくはコネクタを介して、LED電球の電源入力部に接続することを特徴とする。
前記電機製品が、ＬＥＤ電球であり、前記他方の端子に接続した電線を直接若しくはコネクタを介してソケットに接続し、該ソケットをＬＥＤ電球の口金に螺合若しくは嵌合接続するのが好ましい（請求項２）。
【考案の効果】
【０００６】
本考案によれば、ＬＥＤ電球に内臓されているコンバーターを外付けにしたことにより、コンバーターだけを交換すればよいので、高価なＬＥＤ電球の寿命が向上する利点が得られる。
【図面の簡単な説明】
【０００７】
【図１】本考案の一実施例を示す斜視図である。
【図２】本考案に使用するＬＥＤ電球の側面図である。
【図３】外付けにしたコンバーターの内部の平面図である。
【図４】外付けにしたコンバーターの内部の側面図である。
【符号の説明】
【０００８】
１・・・・・・コンバーターを内装したケース
２，２´・・・・・・電線
３・・・・・・電源用ソケット
４・・・・・・ＬＥＤ電球
５・・・・・・ＬＥＤ電球の口金
６・・・・・・コンバーター
７，７´・・・・・・コンバーターの接点
８，８´・・・・・・端子
９，９´・・・・・・端子の接点
１０・・・・・・電源ソケット
１１・・・・・・鎖
【考案を実施するための最良の形態】
【０００９】
以下、添付図面に従って、本考案の具体例を更に詳細に説明する。
【００１０】
図１は、本考案の一実施例を示すものであり、交流を直流に変換するコンバーターを内装したケース１の上端に接続した電線２は、１００Ｖ〜２４０Ｖの電源に接続し得るように構成し、コンバーターを内装したケース下端に接続した電線２は、電源用ソケット３に接続し、これを図２に示すＬＥＤ電球４の口金５に螺合若しくは嵌合接続した例を示す。
【００１１】
交流を直流に変換するコンバーター６は、図３及び図４に示すように、コンバーターの一端の接点７を端子８の接点９に離間し得るように接触させ、端子８に電源ソケット１０を介して接続した電線２を交流電源に接続し得るように形成し、コンバーターの他端の接点７´を端子８´の接点９´に離間し得るように接触させ、端子８´に電源ソケット１０を介して接続した電線２´に、図１に示すように電源用ソケット３を接続し、該電源用ソケット３をＬＥＤ電球４に接続する。
【００１２】
上記実施例では、電線２´は、直接電源用ソケット３に接続したが、コネクターを介して電源用ソケット３に接続しても良い。
コンバーター６と端子８，８´とは、ケース内に収容されるが、一端が電源ソケット用開口を除いて閉鎖した筒状体のケースの閉鎖部にバネを収容し、端子８，８´とコンバーター６とを収容した後、他方の開口に蓋を嵌合若しくは螺合して、コンバーターの接点と端子の接点とが、離間し得るように接触させると良い。
【００１３】
端子８，８´は、電源ソケット１０，１０´に接続されるが、電源ソケット１０，１０´は、容易に着脱できるものであれば、どのようなものでも良い。
【００１４】
本考案に使用する電気製品としては、ＬＥＤ電球に限らず、パソコンに使用することが出来る。要するに交流を直流に返還するコンバータが内蔵されている電機製品であれば、いずれも使用できる。パソコンに使用する場合も、コンバーターの一端に接続した電線は、１００Ｖ〜２４０Ｖの電源に接続され、コンバーターの他端に接続した電線はパソコンの電源入力部に接続される。
【００１５】
電源用ソケット３の頭部には、図１に示すように鎖１１が固定されている。この鎖１１は、ＬＥＤ電球を天井から吊るすためのものである。
【産業上の利用可能性】
【００１６】
高価なＬＥＤ電球の寿命が延びるので、この外付けコンバーターは、広範に普及することが期待される。
【図１】
0003161466.tif 000003
【図２】
0003161466.tif 000004
【図３】
0003161466.tif 000005
【図４】
0003161466.tif 000006
(57)【要約】      （修正有）【課題】包装用袋の袋口を挟持密封することができるクリップ構造を具えたスプーンを提供する。【解決手段】このクリップ付きスプーンは、スプーンの柄にクリップが設けられ、該クリップはスプーンの柄に挟持アームが設けられて該挟持アームと該柄の間に挟持口が形成され、該挟持アームに歯面が凸設され、スプーンの機能に加え、包装用袋の袋口を密封することができ、使用の便利性が増されたスプーンである。【選択図】図１
0003161469.tif 000002
【実用新案登録請求の範囲】
【請求項１】
スプーンの柄にクリップが設けられ、該クリップはスプーンの柄に挟持アームが設けられて該挟持アームと該柄の間に挟持口が形成され、該挟持アームに歯面が凸設されたことを特徴とするクリップ付きスプーン。
【考案の詳細な説明】
【技術分野】
【０００１】
本考案は一種のクリップ付きスプーンに係り、特に、包装用袋の袋口を挟持密封することができるクリップ構造を具えたスプーンに関する。
【背景技術】
【０００２】
各種食品をアルミパック等の材料の包装用袋で包装することは極めて普通であり、例えば、コーヒー、粉ミルク、砂糖、茶葉等の包装に適用される。
【０００３】
コーヒーを例に挙げると、一般に市販されているコーヒーはスリーインワンの小袋、コーヒー缶包装、及びコーヒーのアルミパック包装の三種類に大きく分けられる。
【０００４】
そのうち、コーヒーのアルミパック包装は開封後には、開口を何度か折って並びに内部の空気を押し出して内部のコーヒーと空気の接触を防止して湿気るのを防止し、内部のコーヒーの鮮度を保ち、さらにクリップ或いはゴムバンド等で開口を密封する。
【考案の概要】
【考案が解決しようとする課題】
【０００５】
しかし、クリップ或いはゴムバンドは、開口の開放を防止する目的を達成できるが、クリップ或いはゴムバンドを取り外して包装用袋の開口を開いたあとで、スプーンを挿入して内容物であるコーヒーを取りだして湯に溶かし、飲用に供する必要があり、何度も包装用袋の開口を折り曲げて袋内の空気を押し出して、挟持密封するうちに、クリップ或いはゴムバンドが無くなったりゴムバンドが切れてしまう状況が発生し、多くの不便をもたらす。
【０００６】
本考案者は上述の不便と欠点に対して改善を行うため、研究と改良を進め、終に二つの構造を一体化したクリップ付きスプーンを考案した。
【課題を解決するための手段】
【０００７】
本考案は一種のクリップ付きスプーンを提供し、それは、スプーンの柄にクリップが設けられ、該クリップはスプーンの柄に挟持アームが設けられて該挟持アームと該柄の間に挟持口が形成され、該挟持アームに歯面が凸設され、スプーンの機能に加え、包装用袋の袋口を密封することができ、使用の便利性が増されたものとする。
【考案の効果】
【０００８】
本考案のクリップ付きスプーンは、スプーンに挟持機能を具備するクリップが設けられ、包装用袋の袋口に対して挟持密封できるものとされ、並びにそのスプーン本来の機能を維持し、ダブル機能を有するものとされて、その便利性が増されている。
【図面の簡単な説明】
【０００９】
【図１】本考案のクリップ付きスプーンの立体図である。
【図２】本考案のクリップ付きスプーンの別の立体図である。
【図３】本考案のクリップ付きスプーンの包装用袋の袋口の挟持状態表示図である。
【考案を実施するための形態】
【００１０】
図１は本考案のクリップ付きスプーンの立体図である。図示されるように（別に図２も参照されたい）、スプーンの柄１０にはクリップ２０が設けられ、該クリップ２０はスプーンの柄１０に挟持アーム２０２が設けられ、該挟持アーム２０２と柄１０の間に挟持口２０１があり、また挟持アーム２０２に歯面が凸設されている。
【００１１】
図３は本考案のクリップ付きスプーンの包装用袋の袋口の挟持状態表示図である。該包装用袋の開口は、本考案のスプーンで内容物を取りだした後、包装用袋の袋口が折り込まれ、内部の空気が押し出され、さらに、本考案のスプーンの柄１０のクリップ２０の挟持口２０１により、数回折り込まれた包装用袋の袋口を挟持し、クリップ２０の挟持アーム２０２が包装用袋の袋口を密封する。そのうち、挟持アーム２０２の歯面が挟持固定力を増す。
【００１２】
総合すると、本考案の構造は二つの機能を一体に設け、使用の便利性を増すと共に、包装用袋の袋口を挟持し密封する機能を達成する。
【００１３】
以上の説明は本考案の好ましい実施例に係るものであって、本考案の実施範囲を限定するものではなく、本考案の精神と範囲の下でなし得る均等の変化或いは修飾は、いずれも本考案の実用新案登録請求の範囲内に含まれるものとする。
【符号の説明】
【００１４】
１０  柄
２０  クリップ
２０２  挟持アーム
２０１  挟持口
【図１】
0003161469.tif 000003
【図２】
0003161469.tif 000004
【図３】
0003161469.tif 000005